(57)【要約】【課題】  女性用などの小型平面サイズの時計ムーブメントにおいて、コイン型電池の安定性のある保持が可能であり、かつ、既存の時計ムーブメントの小規模改造を行なうことで実現できる電池保持構造を提供すること。【解決手段】  電池保持部品１５を、電池保持部品止めネジ１６とムーブメント既存止めネジ１７とこれらのネジに対して電池１４基準で反対側に設定した電池保持部品フック部１５ｃとで時計ムーブメント１１に固定し、ムーブメント既存止めネジ１７については既存の時計ムーブメントの既存ネジ構造を流用する。【効果】  既存の時計ムーブメントの小規模改造のみで、少ない平面スペースにおけるコイン型電池の安定した固定構造を実現でき、部品点数の削減も可能。【選択図】      図１  
2005214628.tif 000002
【特許請求の範囲】
【請求項１】
コイン型電池を保持する電池保持部品にネジ止め部と、ムーブメントに掛け止め固定可能なフック部とを設けた電子時計のコイン型電池保持構造。
【請求項２】
電池中心位置をムーブメント中心位置から偏心させたことを特徴とする請求項第１項記載の電子時計のコイン型電池保持構造。
【請求項３】
電池保持部品を、ネジと当該ネジに対して電池平面位置基準で対称位置に設定した電池保持部品フック部で時計ムーブメントに固定することを特徴とする請求項第１項および第２項記載の電子時計のコイン型電池保持構造。
【請求項４】
電池保持部品のネジ止め部の少なくとも一つが、その平面位置において既存の時計ムーブメントのネジ止め部平面位置と共通であることを特徴とする請求項第１項乃至第３項のうちいずれか記載の電子時計のコイン型電池保持構造。
【発明の詳細な説明】
【技術分野】
【０００１】
本発明は、電子時計におけるコイン型電池の保持構造に関する。
【背景技術】
【０００２】
従来の電子時計のコイン型電池の保持構造は板状部材の一部に数箇所の立ち曲げ形状部分を設けることで、径が大きく扁平型のコイン型電池を保持し、かつ、その板状部材の一部を時計機械体（以下、ムーブメントと称する）にネジ止め固定することでコイン型電池をムーブメントと一体に保持できるようになっている。（特許文献１参照）
【０００３】
以下、従来の電子時計におけるコイン型電池の保持構造を図を用いて説明する。
【０００４】
図３は従来のコイン型電池の保持構造の平面図、図４は図３の要部断面図である。図３および図４において、１はムーブメント、２は地板、３は絶縁座、４はコイン型電池、４ａがコイン型電池陰極部（以下、陰極部と記載する）、４ｂがコイン型電池陽極部（以下、陽極部と記載する）、５は電池保持部品、５ａは電池保持部品立ち曲げホールド部（以下、立ち曲げホールド部と記載する）、５ｂは電池保持部品側圧バネ部（以下、側圧バネ部と記載する）、６は電池保持部品止めネジである。
【０００５】
そして、時計動作機能を有するムーブメント１の上に、コイン型電池４の陰極缶４ａとムーブメント１の金属製部品との電気的ショートを防止するための絶縁製材料からなる絶縁座３が配置され、絶縁座３の上にコイン型電池４が配置されており、陽極部４ｂを立ち曲げホールド部５ａおよび側圧バネ部５ｂで押圧、固定し電池保持部品５が電池保持部品止めネジ６によりムーブメント１に固定されることでコイン型電池４がムーブメント１と一体に固定される構造となっている。
【特許文献１】特開昭５５−１４９０８３号公報  （第１図，２頁）
【発明の開示】
【発明が解決しようとする課題】
【０００６】
しかし、このようにコイン型電池を保持する部材をムーブメントにネジ止め固定する平面スペースが採れない小型の時計の場合、前述と同様のネジ止め固定構造を採用することができず、強いて採用した場合は平面サイズの点で大きくなってしまい女性用時計など小型時計としてのサイズの仕様を実現できなくなってしまうという欠点を有している。本発明の目的は、上述の欠点を解消し、コイン型電池の保持機能を維持したままで女性用時計などの小型平面サイズの時計ムーブメントを実現できる構造を提供することである。
【課題を解決するための手段】
【０００７】
本発明は、上記目的を達成するため、電池保持部品について従来の平面スペースを要するネジ止めのみの固定構造ではなく、ネジ止め構造およびフック止め構造を形成してムーブメントへの固定構造とし、必要とする平面スペースを縮小可能にしたことを特徴とする。
【発明の効果】
【０００８】
上記のごとく本発明によれば、コイン型電池を構成部品とする電子時計において電池の安定した保持機能を維持しながら従来可能でなかった女性用時計などの平面サイズの小型な時計ムーブメント構造を実現できる効果がある。
【発明を実施するための最良の形態】
【０００９】
本発明のコイン型電池の保持構造について説明する。
【実施例１】
【００１０】
以下、本発明の実施例１を図面に基づいて詳述する。図１は、本発明によるコイン型電池の保持構造を示す平面図、図２は図１の要部断面図である。１１はムーブメント、１２は地板、１２ａはフック引っ掛け部、１３は絶縁座、１４はコイン型電池、１４ａがコイン型電池陰極部（以下、陰極部と記載する）、１４ｂがコイン型電池陽極部（以下、陽極部と記載する）、１５は電池保持部品、１５ａは電池保持部品立ち曲げホールド部（以下、立ち曲げホールド部と記載する）、１５ｂは電池保持部品側圧バネ部（以下、側圧バネ部と記載する）、１６は電池保持部品止めネジ、１７はムーブメント既存止めネジ、１５ｃは電池保持部品フック部（以下、フック部と記載する）である。
【００１１】
そして、時計動作機能を有するムーブメント１１の上に、コイン型電池１４の陰極缶１４ａとムーブメント１１の金属製部品との電気的にショートを防止するための絶縁性材料からなる絶縁座１３が配置され、絶縁座１３の上にコイン型電池１４が配置されており、このコイン型電池１４の陽極部１４ｂを立ち曲げホールド部１５ａおよび側圧バネ部１５ｂで押圧、固定し電池保持部品１５が電池保持部品止めネジ１６およびムーブメント既存止めネジ１７ならびに地板フック引っ掛け部１２ａに引っかかるフック部１５ｃによりムーブメント１に固定され、それによりコイン型電池１４がムーブメント１と一体に固定される構造となっている。ちなみに電池保持部品止めネジ１６やムーブメント既存止めネジ１７のネジ止め構造については、電池保持部品１５とムーブメント１１との相対位置の安定性やお互いの固定力の安定性を確保するために必要なものである。
【００１２】
なお、ムーブメント既存止めネジ１７の締結相手側部品等の構造は、コイン型電池を構成部品とする当構造において新規に設定したものではなく、一般的なボタン型電池を構成部品とした既存時計ムーブメント（図示せず）において設定済みの構造であるため、新たな設定スペースを必要とするものではない。また、電池保持部品止めネジ１６についても既存時計ムーブメントにおいて設定済みの構造である場合はネジ止め部については新たな新規構造をまったく設定することなく、フック部１５ｃの引っかかる地板フック引っ掛け部１２ａの部分のみ新規に設定すればよいので、ごく小規模の改造で目的を達することができる。
【００１３】
電池１４の平面位置についてはその中心位置がムーブメント１１の中心位置と偏心させたものとなっており、偏心させた方向の、ネジ１６、１７と対称位置にフック部１５ｃが設定されている。その事により面積を増すことなくネジ１６用のスペースを確保できる。そして、フック部１５ｃは電池保持部品止めネジ１６に比べてその必要とする平面スペースが小さくて済むため、ムーブメント１１の平面サイズを小さくすることができ、さらにその位置がネジ１６、１７と対称位置に設定されているためネジ止め位置も含めて全体的にバランス良く電池保持部品１５がムーブメント１１に固定されることとなる。
【００１４】
以上の説明のとおり、本発明によりコイン型電池の安定した保持機能を維持しながら、既存の男性用時計ムーブメントの小規模改造で女性用時計などの小型平面サイズの時計ムーブメントを作成することが可能である。
【図面の簡単な説明】
【００１５】
【図１】本発明の実施例を示す平面図である。
【図２】本発明の実施例を示す要部断面図である。
【図３】従来の構造例を示す平面図である。
【図４】従来の構造例を示す要部断面図である。
【符号の説明】
【００１６】
１、１１  ムーブメント
２、１２  地板
３、１３  絶縁座
４、１４  電池
４ａ、１４ａ  コイン型電池陰極部
４ｂ、１４ｂ  コイン型電池陽極部
５、１５  電池保持部品
５ａ、１５ａ  電池保持部品立ち曲げホールド部
５ｂ、１５ｂ  電池保持部品側圧バネ部
６、１６  電池保持部品止めネジ
１５ｃ  電池保持部品フック部
１７  ムーブメント既存止めネジ
【図１】
2005214628.tif 000003
【図２】
2005214628.tif 000004
【図３】
2005214628.tif 000005
【図４】
2005214628.tif 000006